(57)【要約】【課題】使用済みのペン型注射器を安定して収納できる注射器の廃棄容器を提供する。【解決手段】容器本体１と、容器本体１に嵌着される蓋２とを備え、蓋２は、所定のペン型注射器Ｓを挿入可能な複数の挿入孔３が貫設された蓋本体８と、蓋本体８に開閉自在に施蓋される副蓋４とを、有し、挿入孔３の下半部に、複数本のスリット７によって断面弧状の弾性片５が複数枚形成され、各弾性片５の内面下端５ｂに、挿入されたペン型注射器Ｓを離脱不可能に保持する抜止め爪部６を有している。【選択図】図３
2016096965.tif 000002
【特許請求の範囲】
【請求項１】
容器本体（１）と、該容器本体（１）に嵌着される蓋（２）とを備え、該蓋（２）は、所定のペン型注射器（Ｓ）を挿入可能な複数の挿入孔（３）が貫設された蓋本体（８）と、該蓋本体（８）に開閉自在に施蓋される副蓋（４）とを、有し、
上記挿入孔（３）の下半部に、複数本のスリット（７）によって断面弧状の弾性片（５）が複数枚形成され、各該弾性片（５）の内面下端（５ｂ）に、挿入された上記ペン型注射器（Ｓ）を離脱不可能に保持する抜止め爪部（６）を有していることを特徴とする注射器の廃棄容器。
【請求項２】
上記挿入孔（３）に上記ペン型注射器（Ｓ）が挿入された挿入状態に於て、該ペン型注射器（Ｓ）の上端面が、上記挿入孔（３）の上方開口端縁部（３ａ）より下方位置に保持されている請求項１記載の注射器の廃棄容器。
【発明の詳細な説明】
【技術分野】
【０００１】
本発明は、注射器の廃棄容器に関する。
【背景技術】
【０００２】
通常、患者への注射は、医療機関で医師によって行われることがほとんどであるが、糖尿病の患者は、医療機関から治療薬の入った注射器を持ち帰り、自宅で治療薬を自己注射する。一般に、自己注射には、ペン型の注射器が使用され、患者が自己注射した後の使用済みの注射器は、注射器本体と注射針ユニットを分離し、注射針ユニットのみを専用の廃棄容器に投入して、医療廃棄物として管理していた。従来、使用済みの注射針ユニットを収納するための廃棄容器として、投入口を開閉できるように蓋を設けたものが提案されている（特許文献１参照）。
【先行技術文献】
【特許文献】
【０００３】
【特許文献１】特開２０１３−１６９２９０号公報
【発明の概要】
【発明が解決しようとする課題】
【０００４】
しかし、注射器本体と注射針ユニットを分離する際に、刺傷事故が発生する確率が高く、注射器を針ごと廃棄容器に投入することも多くなってきている。特許文献１記載の廃棄容器は、注射器を投棄すると直ちに満杯となってしまうという欠点があった。また、廃棄容器を上下逆さまに引っ繰り返すと、投入口に一旦入れた注射器が中から飛び出してくる虞れがあった。廃棄容器にペン型注射器以外の医療廃棄物や一般ごみが誤って投棄されることもあり、廃棄物処理業者がそれらを取り除く作業に手間が掛かるという問題があった。
【０００５】
そこで、本発明は、使用済みのペン型注射器を安定して収納できる注射器の廃棄容器を提供することを目的とする。
【課題を解決するための手段】
【０００６】
本発明に係る注射器の廃棄容器は、容器本体と、該容器本体に嵌着される蓋とを備え、該蓋は、所定のペン型注射器を挿入可能な複数の挿入孔が貫設された蓋本体と、該蓋本体に開閉自在に施蓋される副蓋とを、有し、上記挿入孔の下半部に、複数本のスリットによって断面弧状の弾性片が複数枚形成され、各該弾性片の内面下端に、挿入された上記ペン型注射器を離脱不可能に保持する抜止め爪部を有しているものである。
また、上記挿入孔に上記ペン型注射器が挿入された挿入状態に於て、該ペン型注射器の上端面が、上記挿入孔の上方開口端縁部より下方位置に保持されているものである。
【発明の効果】
【０００７】
本発明の注射器の廃棄容器によれば、一旦挿入孔に入れたペン型注射器は、廃棄容器がどのような姿勢になっても、脱落することなく安定して収納できる。挿入孔の寸法がペン型注射器に対応しており、ペン型注射器以外の医療廃棄物や一般ごみが誤って投棄されることはなく、廃棄物処理を簡便に行える。副蓋によって、一層安定してペン型注射器が収納され、ガタつかずに保持できる。挿入孔に入れたペン型注射器を確実に抜け止めできる。
【図面の簡単な説明】
【０００８】
【図１】本発明の実施の一形態を示した正面図である。
【図２】本発明の実施の一形態を示した側面図である。
【図３】本発明の実施の一形態を示した断面正面図である。
【図４】本発明の実施の一形態を示した断面側面図である。
【図５】開蓋状態を示す要部斜視図である。
【図６】蓋本体を底面側から見た斜視図である。
【図７】要部拡大断面図である。
【発明を実施するための形態】
【０００９】
以下、実施の形態を示す図面に基づき本発明を詳説する。
図１と図２に示すように、本発明の注射器の廃棄容器は、合成樹脂から成り、容器本体１と、容器本体１に嵌着される蓋２とを備えている。
容器本体１は、鉛直状の周縁壁部１１を上端部に有し、上下方向中間部から下端部にかけて次第に縮径するテーパー状外周壁部１２を有している。容器本体１は、上下方向揺動自在の取っ手９が取り付けられている。周縁壁部１１には、係止用孔部１０が貫設され、蓋２の係止爪部２０が係止用孔部１０に嵌込まれて、容器本体１と蓋２は嵌着一体化されている。容器本体１は、輸送時や保管時には、スタッキング（積み重ね）が可能として形成されている。
【００１０】
図３〜図５に示すように、蓋２は、所定のペン型注射器Ｓを挿入可能な複数の挿入孔３が貫設された蓋本体８と、蓋本体８に開閉自在に施蓋される副蓋４とを、有している。
挿入孔３は、８箇所に設けられ、各々が平面視円形状に形成されている。挿入孔３の径寸法は、ペン型注射器Ｓの外径に対応している。即ち、挿入孔３は、鍔付きシリンジを有する汎用の注射器は挿入不可能となっており、ペン型注射器Ｓ専用として形成されている。挿入孔３の下半部には、複数本のスリット７によって断面弧状の弾性片５が複数枚形成されている。各弾性片５の内面下端５ｂに、挿入されたペン型注射器Ｓを離脱不可能に保持する抜止め爪部６を有している。
【００１１】
挿入孔３にペン型注射器Ｓが挿入された挿入状態に於て、ペン型注射器Ｓの上端面が、挿入孔３の上方開口端縁部３ａより下方位置に保持されている。
ペン型注射器Ｓは、針にキャップＣが被せられ、キャップＣが容器本体１の底面に当たるまで挿入孔３に深く挿入されている。挿入されたペン型注射器Ｓを引き抜こうとしても、拡径部２５が挿入孔３の抜止め爪部６に引っ掛かって抜け出せないように収納されている。挿入孔３の下半部は、蓋２の周縁部より下方へ突出状に形成されており、挿入されたペン型注射器Ｓがガタつかないよう保持する。
【００１２】
図５に示すように、副蓋４は、固定側端縁部に左右一対の軸部１３，１３が突設され、軸部１３，１３を蓋本体８に枢結することにより、開閉（揺動）自在に取着されている。また、図３のように、副蓋４は、挿入孔３に対応するガタつき防止用突部１４が形成されている。挿入孔３にペン型注射器Ｓが挿入された挿入状態では、副蓋４を閉めることで、ガタつき防止用突部１４が挿入孔３の上方から装入され、ペン型注射器Ｓの上端面を抑えてガタつきを防止し、より一層安定してペン型注射器Ｓが保持される。
【００１３】
図６と図７に示すように、挿入孔３は、蓋本体８に一体成形された略円筒形状の保持筒１５の内面によって形成されている。保持筒１５の下端縁に複数本のスリット７が切欠形成され、このスリット７によって断面弧状の弾性片５が夫々独立して揺動自在に形成されている。抜止め爪部６は、下端面６ｂが水平面状に形成され、内面６ａは下端に向けて次第に肉厚が増大するテーパ面状に形成されている。つまり、ペン型注射器Ｓの拡径部２５が挿入方向に通過する際は、弾性片５を拡開状に弾性変形させつつ拡径部２５が抜止め爪部６をスムーズに乗り越えて、一方、ペン型注射器Ｓの拡径部２５が引き抜き方向に通過しようとする際には、拡径部２５が抜止め爪部６に引っ掛かって通過できないように構成されている。
【００１４】
上述した本発明の注射器の廃棄容器の使用方法（作用）について説明する。
図４のように副蓋４を開け、挿入孔３に使用済みのペン型注射器Ｓを挿入する。この際、図３に示すように、ペン型注射器Ｓの上端面が、挿入孔３の上方開口端縁部３ａより下方位置に配設されるよう、ペン型注射器ＳのキャップＣが容器本体１の底面に当たるまで深く挿入する。挿入孔３は、ペン型注射器Ｓに対応する形状に形成されており、本発明の注射器の廃棄容器は、ペン型注射器Ｓ専用の廃棄容器として使用される。
【００１５】
挿入孔３にペン型注射器Ｓを挿入する際、ペン型注射器Ｓの拡径部２５が挿入孔３の抜止め爪部６に摺接しつつ弾性片５を拡開状に弾発変形させて、拡径部２５が挿入孔３の抜止め爪部６を通過する。拡径部２５が通過した後は、弾性片５は弾発的に復元して、ペン型注射器Ｓの外面に軽く当接する。ペン型注射器Ｓを引き抜こうとしても、拡径部２５が抜止め爪部６の下端面６ｂに引っ掛かって係止され、抜け止めする。即ち、挿入孔３から一旦入れたペン型注射器Ｓを引き抜くことは不可能となる。
【００１６】
次に、図３に示すように、副蓋４を閉めて、ガタつき防止用突部１４によって挿入孔３に入れたペン型注射器Ｓを上方から抑えてガタつきを防止する。このようにして、ペン型注射器Ｓがガタつかずに収納され、廃棄容器がどのような姿勢になっても、ペン型注射器Ｓが抜け出ることなく確実に保持される。
【００１７】
なお、本発明は、設計変更可能であって、例えば、容器本体１及び蓋２の形状は自由に変更しても良い。また、取っ手９は省略しても良い。
【００１８】
以上のように、本発明に係る注射器の廃棄容器は、容器本体１と、容器本体１に嵌着される蓋２とを備え、蓋２は、所定のペン型注射器Ｓを挿入可能な複数の挿入孔３が貫設された蓋本体８と、蓋本体８に開閉自在に施蓋される副蓋４とを、有し、挿入孔３の下半部に、複数本のスリット７によって断面弧状の弾性片５が複数枚形成され、各弾性片５の内面下端５ｂに、挿入されたペン型注射器Ｓを離脱不可能に保持する抜止め爪部６を有しているので、一旦挿入孔３に入れたペン型注射器Ｓは、廃棄容器がどのような姿勢になっても、脱落することなく安定して収納できる。挿入孔３の寸法がペン型注射器Ｓに対応しており、ペン型注射器Ｓ以外の医療廃棄物や一般ごみが誤って投棄されることはなく、廃棄物処理を簡便に行える。副蓋４によって、一層安定してペン型注射器Ｓが収納され、ガタつかずに保持できる。挿入孔３に入れたペン型注射器Ｓを確実に抜け止めできる。
【００１９】
また、挿入孔３にペン型注射器Ｓが挿入された挿入状態に於て、ペン型注射器Ｓの上端面が、挿入孔３の上方開口端縁部３ａより下方位置に保持されているので、指でペン型注射器Ｓを引き出すことが不可能となり、安全にペン型注射器Ｓを収納できる。
【符号の説明】
【００２０】
１  容器本体
２  蓋
３  挿入孔
３ａ  上方開口端縁部
４  副蓋
５  弾性片
５ｂ  内面下端
６  抜止め爪部
７  スリット
８  蓋本体
Ｓ  ペン型注射器
【図１】
2016096965.tif 000003
【図２】
2016096965.tif 000004
【図３】
2016096965.tif 000005
【図４】
2016096965.tif 000006
【図５】
2016096965.tif 000007
【図６】
2016096965.tif 000008
【図７】
2016096965.tif 000009